(57)【特許請求の範囲】
【請求項１】
管理対象人物ごとまたは管理対象行為ごとに生成され、時間軸上の該当位置に、プロジェクト管理のための行為情報が入力されたユニットラインを表示させるユニットライン表示手段と、
表示された複数の前記ユニットライン上の所望の時点の位置に、相対時間による表示の基準とするための複数のタイムタブをそれぞれ付加するタイムタブ付加手段と、
前記タイムタブ付加手段により付加された複数のタイムタブが指定されたときに、前記複数のユニットラインのうち基準となる一のユニットライン上の各タイムタブの位置を基準として揃えて、他のユニットラインを一部期間重ね合わせて相対時間により表示するように更新するユニットライン更新手段と、
を備えることを特徴とするプロジェクト管理情報分析用画面生成装置。
【請求項２】
前記ユニットライン更新手段により更新され表示された複数の前記ユニットライン上から、所望の時間範囲の行為情報部分を、前記ユニットライン上の行為情報単位、管理対象人物単位、管理対象行為単位、または表示画面単位で選択する行為情報部分選択手段と、
前記行為情報部分選択手段により選択された行為情報部分を出力する行為情報部分出力手段と、
をさらに備えることを特徴とする請求項１に記載のプロジェクト管理情報分析用画面生成装置。
【請求項３】
プロジェクト管理情報分析用画面生成装置が、
管理対象人物ごとまたは管理対象行為ごとに生成され、時間軸上の該当位置に、プロジェクト管理のための行為情報が入力されたユニットラインを表示させるユニットライン表示ステップと、
表示された複数の前記ユニットライン上の所望の時点の位置に、相対時間による表示の基準とするための複数のタイムタブをそれぞれ付加するタイムタブ付加ステップと、
前記タイムタブ付加ステップで付加された複数のタイムタブが指定されたときに、前記複数のユニットラインのうち基準となる一のユニットライン上の各タイムタブの位置を基準として揃えて、他のユニットラインを一部期間重ね合わせて相対時間により表示するように更新するユニットライン更新ステップと、
を有することを特徴とするプロジェクト管理情報分析用画面生成方法。
【請求項４】
前記ユニットライン更新ステップで更新され表示された複数の前記ユニットライン上から、所望の時間範囲の行為情報部分を、前記ユニットライン上の行為情報単位、管理対象人物単位、管理対象行為単位、または表示画面単位で選択する行為情報部分選択ステップと、
前記行為情報部分選択ステップで選択された行為情報部分を出力する行為情報部分出力ステップと、
をさらに有することを特徴とする請求項３に記載のプロジェクト管理情報分析用画面生成方法。
【請求項５】
プロジェクト管理情報分析用画面生成装置に、
管理対象人物ごとまたは管理対象行為ごとに生成され、時間軸上の該当位置に、プロジェクト管理のための行為情報が入力されたユニットラインを表示させるユニットライン表示機能と、
表示された複数の前記ユニットライン上の所望の時点の位置に、相対時間による表示の基準とするための複数のタイムタブをそれぞれ付加するタイムタブ付加機能と、
前記タイムタブ付加機能により付加された複数のタイムタブが指定されたときに、前記複数のユニットラインのうち基準となる一のユニットライン上の各タイムタブの位置を基準として揃えて、他のユニットラインを一部期間重ね合わせて相対時間により表示するように更新するユニットライン更新機能と、
を実行させるプロジェクト管理情報分析用画面生成プログラム。
【請求項６】
前記ユニットライン更新ステップ機能により更新され表示された複数の前記ユニットライン上から、所望の時間範囲の行為情報部分を、前記ユニットライン上の行為情報単位、管理対象人物単位、管理対象行為単位、または表示画面単位で選択する行為情報部分選択機能と、
前記行為情報部分選択機能により選択された行為情報部分を出力する行為情報部分出力機能と、
をさらに有することを特徴とする請求項５に記載のプロジェクト管理情報分析用画面生成プログラム。
【請求項７】
患者ごとに生成され、時間軸上の該当位置に電子カルテの医療行為情報が入力されたユニットラインを表示させるユニットライン表示手段と、
表示された複数の患者の前記ユニットライン上の所望の時点の位置に、相対時間による表示の基準とするための複数のタイムタブをそれぞれ付加するタイムタブ付加手段と、
前記タイムタブ付加手段により付加された複数のタイムタブが指定されたときに、前記複数の患者のユニットラインのうち基準となる一のユニットライン上の各タイムタブの位置を基準として揃えて、他のユニットラインを一部期間重ね合わせて表示するように更新するユニットライン更新手段と、
を備えることを特徴とする電子カルテ情報分析用画面生成装置。
【発明の詳細な説明】
【技術分野】
【０００１】
本発明は、時間軸上に蓄積されたプロジェクト管理情報から統計処理や分析処理を行うための画面を生成する、プロジェクト管理情報分析用画面生成装置、プロジェクト管理情報分析用画面生成方法、プロジェクト管理情報分析用画面生成プログラム、および電子カルテ情報分析用画面生成装置に関する。
【背景技術】
【０００２】
従来、様々な分野でプロジェクト情報の管理を行うためのアプリケーションが開発され、利用されている。
【０００３】
その中で、医療現場においては患者の治療計画や診療結果等を電子カルテで管理することが行われている。
【０００４】
この電子カルテを採用することにより、紙のカルテを利用するときに比べてデータの保存スペースを縮小できるとともに、紙のカルテをめくる等の作業をせずに表示画面上で所望の患者に関する過去の情報を迅速に閲覧できるようになる。
【０００５】
また、電子カルテを採用している複数の医療機関のコンピュータをネットワークで接続することにより、他の医療機関における診療情報等を入手することが可能になる。
【０００６】
複数の医療機関のコンピュータと医療支援サービス機関のコンピュータとをネットワークで接続し、医療に関する種々のサービスを提供するシステムに関する技術が特許文献１に記載されている。
【０００７】
この特許文献１に記載の技術を利用することにより、複数の医療機関から送信されたデータに基づいて医療支援サービス機関で統計処理を行ったり、治療方針や効果を分析して各医療機関に情報を提供したりすることが可能になる。
【特許文献１】特開２００２−１３２９５７
【発明の開示】
【発明が解決しようとする課題】
【０００８】
ところで、電子カルテに蓄積される医療行為は、いつ行う治療として計画された治療計画であるか、またはいつ診療したときの診療結果であるか等、すべて時間情報を有している。
【０００９】
そのため、複数の医療機関における医療行為の統計処理や分析処理を行うには、例えばある治療を行ってからどのくらいの時間で次の治療を行ったか、あるいは回復したか等、時間情報を考慮する必要がある。
【００１０】
しかし、この特許文献１の技術を利用した医療支援システムでは、複数の医療機関から送信されたデータの具体的な処理方法が記載されてなく、医療支援サービス機関で取得したデータに基づいて、どのように統計処理や分析処理を行うのかについては言及されていない。そのため、時間情報に基づいて生成された電子カルテ情報の処理についても言及されていない。
【００１１】
よって、本発明の目的は、時間情報に基づいて生成されたプロジェクト管理情報の統計処理や分析処理を行うための支援画面を生成する、プロジェクト管理情報分析用画面生成装置、プロジェクト管理情報分析用画面生成方法、プロジェクト管理情報分析用画面生成プログラム、および電子カルテ情報分析用画面生成装置を提供することである。
【課題を解決するための手段】
【００１２】
上記目的を達成するための本発明のプロジェクト管理情報分析用画面生成装置は、管理対象人物ごとまたは管理対象行為ごとに生成され、時間軸上の該当位置に、プロジェクト管理のための行為情報が入力されたユニットラインを表示させるユニットライン表示手段と、表示された複数の前記ユニットライン上の所望の時点の位置に、相対時間による表示の基準とするための複数のタイムタブをそれぞれ付加するタイムタブ付加手段と、前記タイムタブ付加手段により付加された複数のタイムタブが指定されたときに、前記複数のユニットラインのうち基準となる一のユニットライン上の各タイムタブの位置を基準として揃えて、他のユニットラインを一部期間重ね合わせて相対時間により表示するように更新するユニットライン更新手段とを備えることを特徴とする。
【００１３】
また、本発明のプロジェクト管理情報分析用画面生成方法は、プロジェクト管理情報分析用画面生成装置が、管理対象人物ごとまたは管理対象行為ごとに生成され、時間軸上の該当位置に、プロジェクト管理のための行為情報が入力されたユニットラインを表示させるユニットライン表示ステップと、表示された複数の前記ユニットライン上の所望の時点の位置に、相対時間による表示の基準とするための複数のタイムタブをそれぞれ付加するタイムタブ付加ステップと、前記タイムタブ付加ステップで付加された複数のタイムタブが指定されたときに、前記複数のユニットラインのうち基準となる一のユニットライン上の各タイムタブの位置を基準として揃えて、他のユニットラインを一部期間重ね合わせて相対時間により表示するように更新するユニットライン更新ステップとを有することを特徴とする。
【００１４】
また、本発明のプロジェクト管理情報分析用画面生成プログラムは、プロジェクト管理情報分析用画面生成装置に、管理対象人物ごとまたは管理対象行為ごとに生成され、時間軸上の該当位置に、プロジェクト管理のための行為情報が入力されたユニットラインを表示させるユニットライン表示機能と、表示された複数の前記ユニットライン上の所望の時点の位置に、相対時間による表示の基準とするための複数のタイムタブをそれぞれ付加するタイムタブ付加機能と、前記タイムタブ付加機能により付加された複数のタイムタブが指定されたときに、前記複数のユニットラインのうち基準となる一のユニットライン上の各タイムタブの位置を基準として揃えて、他のユニットラインを一部期間重ね合わせて相対時間により表示するように更新するユニットライン更新機能とを実行させることを特徴とする。
【００１５】
また、本発明の電子カルテ情報分析用画面生成装置は、患者ごとに生成され、時間軸上の該当位置に電子カルテの医療行為情報が入力されたユニットラインを表示させるユニットライン表示手段と、表示された複数の患者の前記ユニットライン上の所望の時点の位置に、相対時間による表示の基準とするための複数のタイムタブをそれぞれ付加するタイムタブ付加手段と、前記タイムタブ付加手段により付加された複数のタイムタブが指定されたときに、前記複数の患者のユニットラインのうち基準となる一のユニットライン上の各タイムタブの位置を基準として揃えて、他のユニットラインを一部期間重ね合わせて表示するように更新するユニットライン更新手段とを備えることを特徴とする。
【発明の効果】
【００１６】
よって本発明のプロジェクト管理情報分析用画面生成装置、プロジェクト管理情報分析用画面生成方法、プロジェクト管理情報分析用画面生成プログラム、および電子カルテ情報分析用画面生成装置によれば、時間情報に基づいて生成されたプロジェクト管理情報の統計処理や分析処理を行うための支援画面を生成することができる。
【発明を実施するための最良の形態】
【００１７】
本発明のプロジェクト管理情報分析用画面生成装置の一実施形態として、医療分野において治療計画や診療結果等の統計処理や分析処理を行うための画面を生成する電子カルテ情報分析用画面生成装置について説明する。
【００１８】
〈基本概念〉
本発明の一実施形態による電子カルテ情報分析用画面生成装置を利用する電子カルテ管理システムにおいては、様々な種類の医療行為を個々に「アクト」として定義し管理している。
【００１９】
そして、これらの個々のアクトはその行為の核心となる情報（Core of Act、以下「ＣＯＡ」とする。）を有する。このＣＯＡの中にはそれぞれ時間軸を基にして定義された自己の行為に関する情報や他の行為との関係情報等が格納されている。
【００２０】
アクトの種類としては、「観察」、「処方」、「注射」、「給食」等があり、これらには例えば何を観察するか、または何の薬剤を注射するか等の自己の行為に関する情報や、「注射」を行ってから所定の時間経過後に「観察」しなければならない等の時間軸に基づく他の医療行為との関係情報が個々にあり、これらがＣＯＡの中に格納されている。
【００２１】
医療行為以外の情報、例えば「症状」の情報なども、「観察」というアクトに基づいて発生するＣＯＡであり、これらの情報（症状）は「観察」のＣＯＡとして保持される。つまり、すべての情報は何らかの医療行為（アクト）のＣＯＡとして保持される。
【００２２】
〈一実施形態としての電子カルテ管理システムの構成〉
本実施形態における電子カルテ管理システム１の構成について、図１を参照して説明する。
【００２３】
本実施形態における電子カルテ管理システム１は、電子カルテ管理センター装置１０と、電子カルテ情報分析用画面生成装置としての複数のクライアント端末２０とが、ネットワーク３０を介して接続されることにより構成されている。
【００２４】
〔電子カルテ管理センター装置１０〕
電子カルテ管理センター装置１０は、ＣＯＡ情報記憶部１１と、電子カルテ記録部１２と、外部の複数のクライアント端末２０とネットワーク３０を介して通信を行う送受信部１３とを有する。
【００２５】
ＣＯＡ情報記憶部１１は、予め入力された種々のアクトに関するＣＯＡが格納されている。
【００２６】
電子カルテ記録部１２は、ＣＯＡを使用して電子カルテとして生成されたデータを記録する。
【００２７】
送受信部１３は、ネットワーク３０を介して接続されたクライアント端末２０と、ＣＯＡ情報および電子カルテ情報の送受信を行う。
【００２８】
−ＣＯＡの構成−
ＣＯＡ情報記憶部１１に格納されている各ＣＯＡを構成する情報について、図２を参照して説明する。
【００２９】
各ＣＯＡは、（１）アクト情報層１００と、（２）アクト動作層２００と、（３）出力層３００と、（４）管理層４００とを有する。
【００３０】
（１）アクト情報層１００
アクト情報層１００は、自己のアクトに関する情報である自行為情報としての（i）自己アクト情報１１０と、他のＣＯＡとリンクするための情報であるリンケージ情報としての（ii）リンケージアクト情報１２０とを有する。
【００３１】
（i）自己アクト情報１１０
自己アクト情報１１０はさらに、自行為特性情報としての自己アクト特性１１１と自行為論理情報としての自己アクト論理１１２とを有し、自己アクト特性１１１には、自己のアクトの名称１１１ａ（正式名称、別称、仮名称など）、分類１１１ｂ（大分類、中分類、小分類など）、関連ＩＤ１１１ｃ（名称１１１ａに対応し他のＣＯＡとリンクするための識別ＩＤ）、知識１１１ｄ（自己のアクトに関する量、速度、単位、科学知識やノウハウなど）が格納されている。
【００３２】
分類１１１ｂの例としては、大分類として「動作アクト」、「論理上アクト」があり、「動作アクト」の中分類として「観察アクト」、「介入アクト」がある。また、「観察アクト」の小分類として「病歴」、「症状」、「所見」などがあり、「介入アクト」の小分類として「検体検査」、「画像検査」、「生理検査」、「処方」、「注射」、「処置」、「入退院」、「給食」などがある。また、「論理上アクト」の小分類として、「検査結果の組み合わせによるデータ生成」、「処方箋；物伝票の生成」などがある。
【００３３】
自己アクト論理１１２には、自己のアクトを実行する際の量の算出方法、投与量の適正範囲、症状の評価方法、単位の換算、表示方法などの情報が格納されている。
【００３４】
（ii）リンケージアクト情報１２０
リンケージアクト情報１２０は、リンケージアクト特性１２１とリンケージアクト論理１２２とを有し、リンケージアクト特性１２１には、他のＣＯＡとリンクされることにより適用する従属的・排他的行為を含む相互に関連する行為の内容、適用時間、適用範囲などの情報が時間軸情報に基づいて格納され、リンケージアクト論理１２２には、リンケージアクト特性１２１の情報に基づいて他のＣＯＡとリンクする際の論理和、論理積等による条件式、論理フローなどが格納されている。
【００３５】
（２）アクト動作層２００
アクト動作層２００には、自己アクト論理１１２およびリンケージアクト論理１２２に基づいて処理を実行する際の動作間の論理制御情報、例えば実行順序や条件式などが格納されている。
【００３６】
（３）出力層３００
出力層３００には、自己のＣＯＡの動作に関する状態３００ａ（想定、計画、実施決定、準備、実施、結果など）、評価３００ｂ（成功、失敗など）、成果３００ｃ（観察結果、実施結果、図形化、伝票・処方箋生成など）、他のＣＯＡに対する介入３００ｄなどの情報が格納されている。
【００３７】
（４）管理層４００
管理層４００には、各ＣＯＡを管理するための管理ＩＤ群４００ａと、管理名称４００ｂと、各ＣＯＡを著作物とする著作権４００ｃと、著作日時、更新日時などの版情報４００ｄとが格納されている。
【００３８】
各ＣＯＡの時間軸上における情報の適用範囲を図３に示す。ＣＯＡはそれぞれ複数のリンケージアクト情報１２０を有することが可能であり、図３のＣＯＡにおいてはリンケージアクト情報１２０−１〜１２０−３の３つのリンケージアクトを有する。
【００３９】
図３において、リンケージアクト情報１２０−１は自己アクト情報１１０による医療行為実行後所定時間経過後から適用される情報であり、リンケージアクト情報１２０−２は自己アクト情報１１０による医療行為実行と同時に適用される情報であり、リンケージアクト情報１２０−３は自己アクト情報１１０による医療行為終了時から適用される情報である。
【００４０】
〔クライアント端末２０〕
クライアント端末２０は医師が利用するものであり、入力部２１と、制御部２２と、送受信部２３と、仮想記憶部２４と、表示部２５とを有する。
【００４１】
入力部２１は、例えばマウスやキーボードなどであり、利用者による操作内容を入力する。
【００４２】
制御部２２は、電子カルテの作成、更新等の処理を行う電子カルテ情報生成部２２１と、子カルテ情報の統計処理や分析処理を行うためのサマリ画面である電子カルテ情報分析用画面を生成するサマリ画面生成部２２２とを有する。
【００４３】
送受信部２３は、ネットワーク３０を介して接続された電子カルテ管理センター装置１０と、ＣＯＡ情報および電子カルテ情報の送受信を行う。
【００４４】
仮想記憶部２４は、電子カルテ管理センター装置１０から取得した情報および制御部２２で生成した情報を一時的に記憶し、ネットワークが使用できない環境でも限定的な範囲において電子カルテの利用を可能にするものである。
【００４５】
表示部２５は、電子カルテ情報生成部２２１およびサマリ画面生成部２２２で操作中の情報を表示するモニタなどである。
【００４６】
〈一実施形態としての電子カルテ管理システムの動作〉
以下に、具体例を用いて一実施形態としての電子カルテ管理システム１により、分析等の研究向けに構成されたサマリ画面を作成して表示する場合の動作について、図４のフローチャートを参照して説明する。
【００４７】
−通常表示によるサマリ画面の作成−
まず、利用者である医師によりクライアント端末２０の電源が投入され、電子カルテ情報を処理するアプリケーションが起動される（Ｓ１）。
【００４８】
次に、医師の操作により入力部２１から電子カルテの作成指示が入力されると（Ｓ２）、電子カルテ情報生成部２２１の処理により表示部２５に電子カルテの作成画面が表示され、必要なＣＯＡ情報が電子カルテ管理センター装置１０のＣＯＡ情報記憶部１１から送受信部１３、ネットワーク３０、および送受信部２３を介して取得される。
【００４９】
取得されたＣＯＡ情報は仮想記憶部２４に記憶され、これが利用されて電子カルテの作成画面が更新されることにより、治療計画、診療経過等の治療情報が時間軸上に入力された患者ごとの電子カルテ情報が生成される（Ｓ３）。
【００５０】
生成された複数の患者の電子カルテ情報は、仮想記憶部２４に記憶されるかまたは、送受信部２３からネットワーク３０を介して電子カルテ管理センター装置１０に送信される。
【００５１】
電子カルテ管理センター装置１０では、クライアント端末２０から電子カルテ情報が送信されると送受信部１３で受信され、電子カルテ情報記録部１２に記録される（Ｓ４）。
【００５２】
このようにして、予め仮想記憶部２４または電子カルテ情報記録部１２に複数の患者の電子カルテ情報が記録された状態で、医師の操作により電子カルテ情報の統計処理や分析処理を行うためのサマリ画面の生成指示が入力部２１から入力されると（Ｓ５）、図５に示すような構成の通常表示によるサマリ画面が生成され表示部２５に表示される。
【００５３】
図５に示すように、通常表示によるサマリ画面４０は、サマリタブ４１０と、タイムマシン４２０と、タイトルＣＯＡ４３０と、サブタイトルＣＯＡ４４０と、サブタイトルユニットライン４５０と、タイムマシン範囲選択ライン４６０と、タイトル範囲選択ライン４７０と、タイムタブライン４８０とを有する。
【００５４】
サマリタブ４１０は、ある条件で抽出した電子カルテ情報のデータセットで生成したサマリ画面４０ごとに作成され、当該サマリ画面４０を示す名前を自由に入力することができる。
【００５５】
このサマリタブ４１０は、条件に応じて生成された複数のサマリ画面４０ごとに作成され、図５に示すように表示されたサマリ画面４０の後ろに重ねられて位置するサマリ画面４０はサマリタブ４１０部分は重ならずに表示される。
【００５６】
また、このサマリタブ４１０が操作されると、サマリ画面４０の追加、削除、更新、複写、移動が行われる。これらの処理は、サマリタブ４１０がダブルクリック操作されることで図６に示すように表示されるタブウィンドウ４１１が操作されて行われる。
【００５７】
タイムマシン４２０は、サブタイトルユニットライン４５０の表示期間を示す西暦、年、月、日などの時間移動をスムーズに行うために異なる複数の時間単位のタイムラインで構成され、このうち最小の時間単位のタイムラインがサブタイトルユニットライン４５０に対応しているものとする。
【００５８】
このタイムマシン４２０は、初期設定においては絶対時間で複数の時間単位が表示されているが、後述するように相対時間で表示させるように切り替えることもできる。
【００５９】
タイトルＣＯＡ４３０には、サブタイトルＣＯＡ４４０を支配する項目を示すＣＯＡ、例えば検査名や患者名などが表示される。
【００６０】
このタイトルＣＯＡ４３０は、電子カルテ上に検査名を入力する際に用いる検査名情報が、ＣＯＡとしてＣＯＡ情報記憶部１１に格納されたパレットから検査名のＣＯＡが抽出されて入力されたり、予め電子カルテ情報記録部１２に記録された電子カルテ情報の患者一覧から患者名のＣＯＡが抽出されて入力されたりすることで、検査名や患者名などの項目が表示される。
【００６１】
このタイトルＣＯＡ４３０は、１つのサマリ画面４０上に複数入力することができる。例えば、図６においては、検査名「ＧＯＴ」および患者名「患者ＡＡ」がタイトルＣＯＡとして入力されている。
【００６２】
また、このタイトルＣＯＡ４３０として入力される項目は、それぞれ時間幅に関する情報を有し、サブタイトルユニットライン４５０の表示範囲を指定または制限することができる。また、入力された複数のタイトルＣＯＡ４３０は、並べ替えることができる。また、タイトルＣＯＡ４３０は、医師の操作により追加、削除、更新、複写、移動が可能である。
【００６３】
サブタイトルＣＯＡ４４０には、タイトルＣＯＡ４３０の支配に従って展開されるＣＯＡであり、当該タイトルＣＯＡ４３０で示される項目のサブタイトルが表示される。
【００６４】
このサブタイトルＣＯＡ４４０も、タイトルＣＯＡ４３０と同様に、電子カルテ上に検査名を入力する際に用いる検査名情報が格納されたパレットから検査名のＣＯＡが抽出されて入力されたり、予め記録された電子カルテ情報の患者一覧から患者名のＣＯＡが抽出されて入力されたりすることで、検査名や患者名などのサブタイトルが表示される。
【００６５】
このサブタイトルＣＯＡ４４０は、１つのタイトルＣＯＡ４３０の支配下に複数入力することができる。例えば、図６においては、タイトルＣＯＡ「ＧＯＴ」の支配下のサブタイトルＣＯＡとして患者名「患者ＡＡ」、「患者ＢＢ」、および「患者ＣＣ」が入力され、タイトルＣＯＡ「患者ＡＡ」の支配下のサブタイトルＣＯＡとして検査名「ＧＯＴ」および「ＴＴＴ」が入力されている。
【００６６】
また、入力されたサブタイトルＣＯＡ４４０は、並べ替えることができる。また、サブタイトルＣＯＡ４４０は、医師の操作により追加、削除、更新、複写、移動が可能である。
【００６７】
また、入力された複数のサブタイトルＣＯＡ４４０の表示は、該当するタイトルＣＯＡ４３０の表示がクリック操作されることで、展開されたり閉じられたりする。サブタイトルＣＯＡ４４０の表示が閉じられたときは、内容がＴＩＰ表示される。
【００６８】
サブタイトルユニットライン４５０には、タイトルＣＯＡ４３０の支配に従って、サブタイトルＣＯＡ４３０の電子カルテ情報が時間軸上に表示される。例えば、タイトルＣＯＡ４３０として患者名が入力され、サブタイトルＣＯＡとして検査名が入力された場合は、当該患者名の患者の、当該検査名の結果の電子カルテ情報が時間軸上に表示される。
【００６９】
タイムマシン範囲選択ライン４６０は、タイムマシン４２０の最下位に表示されている最小時間単位のタイムラインに対応し、サマリ画面４０内の全てのタイトルＣＯＡ４４０の支配下のサブタイトルユニットライン４５０から同じ時間範囲を選択する際に利用される選択操作用ラインである。
【００７０】
タイトル範囲選択ライン４７０は、サマリ画面４０内のタイトルＣＯＡ４３ごとに設定され、一のタイトルＣＯＡ４３０の支配下の全てのサブタイトルユニットライン４５０について同じ時間範囲を選択する際に利用される選択操作用ラインである。
【００７１】
タイムタブライン４８０は、研究、分析用のサマリ画面４０を生成するために利用する後述するタイムタブを入力する際に利用される入力操作用ラインである。
【００７２】
以上の構成のサマリ画面４０が、クライアント端末２０の制御部２２のサマリ画面生成部２２２において生成されるときの動作について説明する。
【００７３】
医師の操作により入力部２１からサマリ画面４０の作成指示が入力されると（Ｓ５）サマリ画面４０の作成処理が開始され、医師の操作により、まずタイトルＣＯＡ４３０の情報が入力され（Ｓ６）、次にサブタイトルＣＯＡ４４０の情報が入力される（Ｓ７）。
【００７４】
(a)タイトルＣＯＡ４３０の情報として検査名、薬剤名、病名等の医療項目名が入力され、サブタイトルＣＯＡ４４０の情報として患者名が入力される場合と、(b)タイトルＣＯＡ４３０の情報として患者名が入力され、サブタイトルＣＯＡ４４０の情報として医療項目名が入力される場合とについて説明する。
【００７５】
(a) タイトルＣＯＡ４３０の情報として医療項目名が入力され、サブタイトルＣＯＡ４４０の情報として患者名が入力される場合
図７に示すように、表示部２５の画面上に展開された検査名情報が格納されたパレット５０から、所望の検査名のＣＯＡが医師の操作により抽出されサマリ画面４０に入力されることにより、この入力された検査名のＣＯＡがタイトルＣＯＡ４３０として展開され、画面内のタイムマシン４２０に対応したユニットラインが生成される。
【００７６】
パレット５０に格納されている検査名のＣＯＡには１つの検査名で構成された単体ＣＯＡと、複数の検査名がグループとして構成されたグループＣＯＡ（以下、「ｇＣＯＡ」とする）とがあり、図７に示すように単体ＣＯＡである検査名「ＣＯＡ(1)」５０１がサマリ画面４０に入力されたときにはこの検査名「ＣＯＡ(1)」５０１を構成する検査名「ＣＯＡ(1)」がサマリ画面４０にタイトルＣＯＡとして表示され、ｇＣＯＡである検査名「ＣＯＡ(3)」５０３がサマリ画面４０に入力されたときにはこの検査名「ＣＯＡ(3)」５０３を構成する検査名「ＣＯＡ(3-1)」、「ＣＯＡ(3-2)」、および「ＣＯＡ(3-3)」がタイトルＣＯＡとしてサマリ画面４０に表示される。
【００７７】
次に、図８に示すように、表示部２５の画面上に展開された電子カルテ情報の患者一覧６０から、所望の患者を示すＣＯＡが医師の操作により抽出されサマリ画面４０内の該当するタイトルＣＯＡ４３０上に入力されることにより、この入力されたＣＯＡの患者名がサブタイトルＣＯＡ４４０として表示されるとともに、入力されたＣＯＡに該当する患者の当該タイトルＣＯＡ４３０の検査名に関する検査結果がタイムマシン４２０の時間表示に対応したユニットライン上に展開されることによりサブタイトルユニットライン４５０が生成され表示される。
【００７８】
患者一覧６０内の患者名は、病名ごと等にグループ化されて管理され、このグループごとにタブが付せられており、病名ごとのグループの一例であるＴＡＢ(1)６１０ごとタイトルＣＯＡ４３０の検査名「ＣＯＡ(1)」上に入力されたときには、このＴＡＢ(1)６１０に含まれる患者名である「患者ＡＡ」、「患者ＢＢ」、および「患者ＣＣ」がＣＯＡ(1)のサブタイトルＣＯＡとしてそれぞれ展開されるとともに、この「患者ＡＡ」、「患者ＢＢ」、および「患者ＣＣ」の検査名「ＣＯＡ(1)」に関する検査結果が展開されたサブタイトルユニットライン４５０が生成され表示される。
【００７９】
また、患者一覧６０内のＴＡＢ(1)に含まれる患者名「患者ＡＡ」６０１および「患者ＣＣ」６０２が個別にタイトルＣＯＡ４３０の検査名「ＣＯＡ(2)」上に入力されたときには、この患者名「患者ＡＡ」および「患者ＣＣ」がタイトルＣＯＡである検査名「ＣＯＡ(2)」のサブタイトルＣＯＡとして展開されるとともに、この「患者ＡＡ」および「患者ＣＣ」の検査名「ＣＯＡ(2)」に関する検査結果が展開されたサブタイトルユニットライン４５０が生成され表示される。
【００８０】
患者名をサブタイトルＣＯＡ４４０として入力する際に、予め複数のタイトルＣＯＡ４３０を選択状態にしておくことで、図９に示すように、これらの全てのタイトルＣＯＡ４３０の支配下に入力した患者名がサブタイトルＣＯＡ４４０として表示され、該当するサブタイトルユニットライン４５０が生成される。
【００８１】
例えば、タイトルＣＯＡ４３０の検査名「ＣＯＡ(1)」および「ＣＯＡ(2)」を選択状態にし、ＴＡＢ(1)６１０がタイトルＣＯＡの検査名「ＣＯＡ(1)」上に入力されると、このＴＡＢ(1)６１０に含まれる患者名「患者ＡＡ」、「患者ＢＢ」、および「患者ＣＣ」がタイトルＣＯＡ４３０の検査名「ＣＯＡ(1)」および「ＣＯＡ(2)」双方のサブタイトルＣＯＡとしてそれぞれ展開されるとともに、サブタイトルユニットライン４５０が生成され表示される。
【００８２】
また、タイトルＣＯＡ４３０の検査名「ＣＯＡ(1)」および「ＣＯＡ(2)」を選択状態にし、ＴＡＢ(1)に含まれる患者名「患者ＡＡ」６０１および「患者ＣＣ」６０２が個別にタイトルＣＯＡ４３０の検査名「ＣＯＡ(1)」上に入力されると、この患者名「患者ＡＡ」および「患者ＣＣ」がタイトルＣＯＡである検査名「ＣＯＡ(1)」および「ＣＯＡ(2)」のサブタイトルＣＯＡとして展開されるとともに、サブタイトルユニットライン４５０が生成され表示される。
【００８３】
(b) タイトルＣＯＡ４３０の情報として患者名が入力され、サブタイトルＣＯＡ４４０の情報として医療項目名が入力される場合
図１０に示すように、表示部２５の画面上に展開された電子カルテ情報の患者一覧６０から所望の患者を示すＣＯＡが医師の操作により抽出されサマリ画面４０内に入力されることにより、この入力されたＣＯＡの患者名がタイトルＣＯＡ４３０として展開され、画面内のタイムマシン４２０に対応したユニットラインが生成される。
【００８４】
タイトルＣＯＡ４３０は、(a)の場合と同様にＴＡＢごと入力してもよいし、患者名ごとに入力してもよい。
【００８５】
次に、表示部２５の画面上に図１１に示すように展開された検査名情報が格納されたパレット５０から、所望の検査名のＣＯＡが医師の操作により抽出されサマリ画面４０内の該当するタイトルＣＯＡ４３０上に入力されることにより、この入力された検査名のＣＯＡがサブタイトルＣＯＡ４４０として表示されるとともに、入力されたＣＯＡに該当する検査名の当該タイトルＣＯＡ４３０の患者名に関する検査結果がユニットライン上に展開され、サブタイトルユニットライン４５０が生成され表示される。
【００８６】
この検査名のＣＯＡは、(a)の場合と同様にｇＣＯＡである場合にはこのｇＣＯＡを構成する全てのＣＯＡがサブタイトルＣＯＡ４４０として入力される。
【００８７】
検査名をサブタイトルＣＯＡ４４０として入力する際にも、予めタイトルＣＯＡ４３０を選択状態にしておくことで、図１２に示すように、これらの全てのタイトルＣＯＡ４３０の支配下に入力した患者名がサブタイトルＣＯＡ４４０として表示され、該当するサブタイトルユニットライン４５０が生成される。
【００８８】
このように、複数の患者名の電子カルテ情報を並べて表示させることで、一病棟で複数の患者を担当している場合などに、すべての患者の経過情報等をオーバービューする画面を提供することができる。
【００８９】
−サマリ画面４０上のサブタイトルＣＯＡ４３０およびサブタイトルユニットライン４５０の表示操作−
上述したようにして生成されたサマリ画面４０上の、サブタイトルＣＯＡ４３０およびサブタイトルユニットライン４５０を、必要に応じてコピー、移動、または削除するときの動作について説明する。
【００９０】
サブタイトルＣＯＡ４３０およびサブタイトルユニットライン４５０のコピーまたは移動の処理は、図１３に示すように、サマリタブ４１０をダブルクリック操作することで表示されるタブウィンドウ４１１の「タブの制御設定」を選択し、この選択により表示されるサブメニュー４１２内の「コピー設定」または「移動設定」が選択されることにより、コピー制御の設定または移動制御の設定が行われる。
【００９１】
ここで、サブメニュー４１２の「コピー設定」が選択されることにより、サブタイトルＣＯＡ４３０およびサブタイトルユニットライン４５０のコピー制御が設定された状態で、図１４（ａ）に示すようにコピーしたいサブタイトルＣＯＡ４４０である「患者ＡＡ」の表示を、コピー先のタイトルＣＯＡ４３０上にドラッグアンドドロップ操作をすると、図１４（ｂ）に示すようにコピー先のタイトルＣＯＡ４３０の支配下に「患者ＡＡ」を示すサブタイトルＣＯＡ４４０およびサブタイトルユニットライン４５０がコピーされ表示される。
【００９２】
また、サブメニュー４１２の「移動設定」が選択されることにより、サブタイトルＣＯＡ４３０およびサブタイトルユニットライン４５０の移動制御が設定された状態で、図１５（ａ）に示すように移動させたいサブタイトルＣＯＡ４４０である「患者ＡＡ」の表示を、移動先のタイトルＣＯＡ４３０上にドラッグアンドドロップ操作をすると、図１５（ｂ）に示すように移動先のタイトルＣＯＡ４３０の支配下に「患者ＡＡ」を示すサブタイトルＣＯＡ４４０およびサブタイトルユニットライン４５０が移動され表示される。
【００９３】
また、タブウィンドウ４１１のサブメニュー４１２で「設定なし」が選択されているときは、図１６に示すように、コピーまたは移動したいサブタイトルＣＯＡ４３０の表示範囲を選択することにより選択リスト４４１を表示させ、この選択リスト４４１内の「コピーする」または「移動する」の表示を選択した状態で、図１４または図１５に示した処理と同様にドラッグアンドドロップ操作をすることにより、サブタイトルＣＯＡ４４０およびサブタイトルユニットライン４５０をコピーまたは移動させることができる。ここで、選択リスト４４１内の「削除する」の表示を選択すると、該当するサブタイトルＣＯＡ４４０およびサブタイトルユニットライン４５０が削除される（Ｓ８）。
【００９４】
−タイムタブの付加−
次に、サマリ画面４０に表示された複数の患者名のサブタイトルユニットライン４５０上に、ユーザである医師の操作により、所望のサマリ画面を生成するための基準時刻を示すタイムタブを付加する場合について、図１７を参照して説明する。
【００９５】
このタイムタブは、例えば同じ病名の複数の患者の症状発症時刻や治療開始時刻等に付加したり、複数の患者のある年齢の開始時刻に付加しておくことにより、これらの時刻からの観察結果や治療結果を相対時間で比較するための基準時刻を示すものである。
【００９６】
タイムタブに関する情報は、予めＣＯＡ情報記憶部１１にＣＯＡとしてパレット７０に複数格納されている。本実施形態においては、パレット７０に病名ＡＡの症状発症時刻に関するタイムタブ(1)７０１、病名ＢＢの症状発症時刻に関するタイムタブ(2)７０２、病名ＡＡの治療開始時刻に関するタイムタブ(3)７０３、病名ＢＢの治療開始時刻に関するタイムタブ(4)７０４が予め格納されているものとする。
【００９７】
また、タイムタブを付加するサマリ画面４０には、患者名をタイトルＣＯＡ４３０とした画面が表示され、この患者名のタイトルＣＯＡ４３０の支配下には医療項目名とともにタイムタブを入力するためのタイムタブライン４８０が表示されているものとする。
【００９８】
また、タイムタブを付加するサマリ画面４０のタイムマシン４２０は、通常表示状態である絶対時間で表示されているものとする。
【００９９】
このようにサマリ画面４０が構成され表示されている状態で、表示部２５の画面上に図１７に示すように展開されたパレット７０内の複数のタイムタブ(1)７０１〜タイムタブ(4)７０４の中から、例えば病名ＡＡの症状発症時刻に関するタイムタブ(1)７０１が医師の操作により抽出され、サマリ画面４０内の対象となる患者名のタイムタブライン４８０上の所望の時刻位置に入力されることにより、図１７の付加位置４４２にタイムタブ(1)７０１が付加される（Ｓ９）。
【０１００】
ここで、一の患者のタイトルＣＯＡ４３０に対しては、同一のタイムタブを複数付加することはできないように設定されている。例えば、病名ＡＡの症状発症時刻に関するタイムタブ(1)７０１は、患者ＡＡのタイムタブライン４８０上においては１箇所のみしか入力することができない（図１７の×印位置４４３）。
【０１０１】
また、一の患者のタイトルＣＯＡ４３０に対して、異なるタイムタブは複数付加することができる。例えば、図１７に示すように、症状ＡＡの症状発症時刻に関するタイムタブ(1)７０１および病名ＢＢの症状発症時刻に関するタイムタブ(2)７０２を、患者ＡＡのタイムタブライン４８０上のそれぞれ所望の時刻位置に入力することができる。
【０１０２】
また、複数の患者のタイトルＣＯＡ４３０に対しては、同一のタイムタブを付加することができる。例えば、図１８に示すように、病名ＡＡの症状発症時刻に関するタイムタブ(1)７０１は、患者ＡＡのタイムタブライン４８０上および患者ＢＢのタイムタブライン４８０上の双方の所望の時間位置に入力することができる（図１８の付加位置４４２および４４４）。
【０１０３】
−タイムタブ指定によるサマリ画面４０の表示更新−
上述したように複数の患者名のタイムタブライン４８０上にタイムタブが付加された状態で、所望のタイムタブを指定することによりサマリ画面４０の表示を更新する場合について図１９〜図２５を参照して説明する。
【０１０４】
まず、タイトルＣＯＡ４３０が患者名で入力され通常表示状態で表示されたサマリ画面４０において、タイムタブライン４８０上がクリック操作されることにより、当該タイムタブライン４８０上に付加されているタイムタブを示すタイムタブ一覧４４５が、図１９に示すように表示される。
【０１０５】
このとき、表示されているサマリ画面４０内の全ての患者名のタイムタブライン４８０上には付加されていない種類のタイムタブについては薄く表示されるなど、全ての患者名のタイムタブライン４８０に付加されているタイムタブと区別されて表示されてもよい。
【０１０６】
表示されたタイムタブ一覧４４５の中から、研究用等に利用したいタイムタブとして例えば病名ＡＡの症状発症時刻に関するタイムタブ(1)が指定されると（Ｓ１０）、図２０に示すように、タイムマシン４２０が基準時刻「０００１年０１月００日」に対する相対時間で表示されるとともに、表示されているすべての患者名のサブタイトルユニットライン４５０が、当該タイムタブ(1)に対応する時刻がタイムマシン４２０の基準時刻になるように揃えられた状態で、タイムマシン４２０の時間表示に基づいて表示されるように更新される（Ｓ１１）。
【０１０７】
また、タイトルＣＯＡ４３０が医療項目名で入力され通常表示状態で表示されたサマリ画面４０において所望のタイムタブであるタイムタブ(1)が指定されると、図２１に示すように、タイムマシン４２０が基準時刻「０００１年０１月００日」に対する相対時間で表示されるとともに、表示されているすべての患者名のサブタイトルユニットライン４５０が、当該タイムタブ(1)に対応する時刻がタイムマシン４２０の基準時刻になるように揃えられ、各サブタイトルユニットライン４５０上のタイムタブ(1)が付加されている位置にマーク（図２１においては◇マーク）が付されるように更新される。
【０１０８】
また、タイトルＣＯＡ４３０が患者名で入力されたものと医療項目名で入力されたものとが混在して一画面に表示されたサマリ画面４０において所望のタイムタブであるタイムタブ(1)が指定されたときは、図２２に示すように、表示されているすべての患者名のサブタイトルユニットライン４５０が当該タイムタブ(1)に対応する時刻がタイムマシン４２０の基準時刻になるように揃えられ、タイトルＣＯＡ４３０が医療項目名の支配下のサブタイトルユニットライン４５０上には、タイムタブが付加されている位置にマーク（図２２においては◇マーク）が付されるように更新される。
【０１０９】
また、タイトルＣＯＡ４３０が医療項目名で入力されて表示されたサマリ画面４０において所望のタイムタブが指定されたときに、患者名で入力されたサブタイトルＣＯＡ４４０の中に当該指定したタイムタブが付加されていないサブタイトルＣＯＡ４４０があるときには、図２３に示すように、この患者名のサブタイトルユニットライン４５０は基準時刻に揃えることができないため薄く表示され（検査名「ＧＰＴ」の患者名「患者ＤＤ」）、サブタイトルユニットライン４５０上の電子カルテ情報も表示されないようにしてもよい。
【０１１０】
また、タイムタブライン４８０上がクリック操作されることにより表示されたタイムタブ一覧４４５の中から、複数のタイムタブが指定される場合について、図２４を参照して説明する。
【０１１１】
図２４においては、タイトルＣＯＡ４３０である「患者ＡＡ」、「患者ＢＢ」、「患者ＣＣ」のタイムタブライン４８０上にそれぞれ「病名ＡＡ」の治療開始時を示すタイムタブ(1)と、再発時治療開始時を示すタイムタブ(2)とが付加されており、「患者ＡＡ」のタイムタブ(1)は２００８年３月１日に対応する位置に付加され、タイムタブ(2)は２００８年３月１０日に対応する位置に付加され、「患者ＢＢ」のタイムタブ(1)は２００８年２月１日に対応する位置に付加され、タイムタブ(2)は２００８年２月５日に対応する位置に付加され、「患者ＣＣ」のタイムタブ(1)は２００８年４月１日に対応する位置に付加され、タイムタブ(2)は２００８年４月１５日に対応する位置に付加されているものとする。
【０１１２】
このように各タイムタブライン４８０上にタイムタブ(1)およびタイムタブ(2)が付加された状態で、タイムタブライン４８０上がクリック操作されることにより表示されたタイムタブ一覧４４５の中から、タイムタブ(1)およびタイムタブ(2)が指定されると、タイムマシン４２０が基準時刻「０００１年０１月００日」に対する相対時間で表示されるとともに、表示されているすべてのタイトルＣＯＡ４３０である「患者ＡＡ」、「患者ＢＢ」、「患者ＣＣ」のサブタイトルユニットライン４５０が、当該タイムタブ(1)に対応する時刻がタイムマシン４２０の基準時刻になるように揃えられ、さらにこのときの画面内の最上位置に表示されているタイトルＣＯＡ４３０である「患者ＡＡ」のタイムタブ(2)に対応する時間位置に、以下のタイトルＣＯＡ４３０である「患者ＢＢ」および「患者ＣＣ」のタイムタブ(2)が揃えられ、これらのタイムタブ(2)に対応する時間位置以降の時間範囲のサブタイトルユニットライン４５０がタイムマシン４２０の時間表示に基づいて表示される。
【０１１３】
このように表示されることにより、治療開始時からの経過、および再発時治療開始時からの経過等複数のポイント位置を持った情報を一のサマリ画面４０で確認することができる。
【０１１４】
具体的には、タイトルＣＯＡ４３０のうち最上位置に表示されている「患者ＡＡ」については、指示された複数のタイムタブのうち最前の時間に付加されたタイムタブ(1)がタイムマシン４２０の基準時刻に揃えられて全時間範囲のサブタイトルユニットライン４５０が表示され、他のタイトルＣＯＡ４３０である「患者ＢＢ」および「患者ＣＣ」については、タイムタブ(1)がタイムマシン４２０の基準時刻に揃えられてサブタイトルユニットライン４５０が表示された上に、タイムタブ(2)以降の時間範囲のサブタイトルユニットライン４５０が「患者ＡＡ」のタイムタブ(2)の時間位置に先頭が揃えられ重ねられて表示された状態となる。
【０１１５】
このように複数のタイムタブが指定されて表示されると、例えば図２４においては、「患者ＢＢ」のサブタイトルユニットライン４５０の表示期間は、太線矢印ｂで示す期間に電子カルテ情報が存在しないため何も表示されず、「患者ＣＣ」のサブタイトルユニットライン４５０の表示期間は、太線矢印ｃで示す期間（2008/04/11〜14）の電子カルテ情報はタイムタブ(2)以降の電子カルテ情報が重ね合わせられたことにより表示されない。
【０１１６】
また、「患者ＡＡ」と、「患者ＢＢ」および「患者ＣＣ」とではタイムタブ(1)とタイムタブ(2)との時間位置の前後が逆になる場合、例えば、「患者ＡＡ」のタイムタブ(1)が２００８年３月１０日に対応する位置に付加され、タイムタブ(2)が２００８年３月１５日に対応する位置に付加され、「患者ＢＢ」のタイムタブ(1)が２００８年２月１０日に対応する位置に付加され、タイムタブ(2)が２００８年２月５日に対応する位置に付加され、「患者ＣＣ」のタイムタブ(1)が２００８年４月１日に対応する位置に付加され、タイムタブ(2)が２００８年２月１０日に対応する位置に付加されているときにも、図２４のようにタイムタブ(2)以降の時間範囲のサブタイトルユニットライン４５０は「患者ＡＡ」のタイムタブ(2)の位置に揃えられて表示される。そのため、「患者ＢＢ」および「患者ＣＣ」のサブタイトルユニットライン４５０に表示される電子カルテ情報は、必ずしも時間的に連続しているとは限らない。
【０１１７】
また、「患者ＡＡ」に付加されたタイムタブ(1)よりもタイムタブ(2)のほうが時間位置が前の場合、例えば、「患者ＡＡ」のタイムタブ(1)が２００８年３月１０日に対応する位置に付加され、タイムタブ(2)が２００８年３月１日に対応する位置に付加され、「患者ＢＢ」のタイムタブ(1)が２００８年２月１日に対応する位置に付加され、タイムタブ(2)が２００８年２月５日に対応する位置に付加され、「患者ＣＣ」のタイムタブ(1)が２００８年４月１日に対応する位置に付加され、タイムタブ(2)が２００８年４月１５日に対応する位置に付加されているときにも、「患者ＡＡ」のタイムタブ(1)およびタイムタブ(2)の時間位置に合わせて「患者ＢＢ」および「患者ＣＣ」のタイムタブ(1)およびタイムタブ(2)以降の電子カルテ情報が表示され、このときも「患者ＢＢ」および「患者ＣＣ」のサブタイトルユニットライン４５０に表示される電子カルテ情報は必ずしも時間的に連続しているとは限らない。
【０１１８】
また、複数のタイムタブを指定してサマリ画面４０を更新させたときに、画面を見やすくするために、時間的に最前のタイムタブ以前の電子カルテ情報が表示されないようにしたり薄く表示されるようにしてもよい。
【０１１９】
また、図２５に示すように、サブタイトルユニットライン４５０上がクリック操作されることにより表示されるタイムタブ一覧４４６にタイムマシン４２０の時間表示を操作されたサブタイトルユニットライン４５０のみに対応する絶対時間表示に切り替える「現タイトルのみ絶対時間にする」ボタン４４６−１と、相対時間表示に戻す「通常表示に戻す」ボタン４４６−２とを設けておき、これらのボタンが操作されることにより、タイムマシン４２０を当該タイトルＣＯＡ（ここではタイトルＣＯＡ「患者ＡＡ」）のみに対応する絶対時間に切り替えたり相対時間表示に戻したりできるように設定してもよい。
【０１２０】
このようにサマリ画面４０が更新されることにより、同じ病名の病気に関する複数の患者の治療経過や症状の経過を発症時刻を揃えて表示させたり、薬剤の投与時刻を揃えて表示させたり様々なパターンで複数の患者の情報を比較することができ、医療情報の解析、研究に用いることができるようになる。
【０１２１】
−サマリ画面４０内の情報の範囲選択−
上述したように、指定されたタイムタブに基づいてサブタイトルユニットライン４５０が揃えられてサマリ画面４０が表示された状態で、表示されたサマリ画面４０内の所望の範囲の情報を選択する場合について説明する。
【０１２２】
まず、サブタイトルユニットライン４５０上で所望の情報を選択する場合には、図２６の選択範囲４４７のように直接必要な情報を囲うことで所望のサブタイトルＣＯＡ４４０および時間範囲が選択される。
【０１２３】
このとき、選択範囲４４８のように、異なるタイトルＣＯＡ４３０の情報をまたいで範囲を指定してもよい。
【０１２４】
また、一のタイトルＣＯＡ４３０の支配下の全てのサブタイトルユニットライン４５０について同じ時間範囲の情報を選択したいときには、図２７に示すように、タイトルＣＯＡ４３ごとに設定されたタイトル範囲選択ライン４７０内の所望の時間範囲が選択されることにより、選択範囲４４９、４５１のようにタイトルＣＯＡ４３０ごとに所望の時間範囲の情報が選択される。
【０１２５】
また、サマリ画面４０に表示されている全てのタイトルＣＯＡ４３０の支配下の全てのサブタイトルユニットライン４５０について同じ時間範囲の情報を選択したいときには、図２８に示すように、タイムマシン４２０の最下位に表示されている最小時間単位のタイムラインに対応して設けられたタイムマシン範囲選択ライン４６０内の所望の時間範囲が選択されることにより、選択範囲４５２、、４５３のようにサマリ画面４０内の所望の時間範囲の情報が選択される。
【０１２６】
また、図２９に示すように一のサマリ画面４０上で、図２８で示したようにタイムマシン範囲選択ライン４６０を用いて所望の時間範囲が選択された選択範囲４５４と、図２７で示したようにタイトル範囲選択ライン４７０を用いて所望の時間範囲が選択された選択範囲４５５と、図２６で示したように直接必要な情報を囲った選択範囲４５６とを混在させて複数の時間範囲が選択されるようにしてもよい。
【０１２７】
次に、図３０に示すように、図２６〜２９のように選択された時間範囲部分がクリック操作されることにより、この選択された時間範囲の出力に関する出力メニュー４５７が表示され、この出力メニュー内のいずれかが選択操作されることにより、新たなサマリ画面の作成、他のサマリ画面への複写、貼り付け、統計情報を算出して出力（統計出力メニュー４５８に示すような種々の方法により出力可能）、ＣＳＶ形式でエクスポート、電子カルテ内の他の処理画面への出力等、所望の方式での出力が実行される。
【０１２８】
このようにタイムタブにより相対時間で表示されたサマリ画面から所望の範囲の電子カルテ情報が出力されることにより、注目したい時間範囲の情報や統計解析したい時間範囲の情報などを抽出して分析等に用いることができ、目的に応じた研究用の分析情報を得ることができる。
【０１２９】
以上の本実施形態によれば、時間情報に基づいてタイムライン上に生成された電子カルテ情報の、統計処理や分析処理を行うためのサマリ画面を容易に作成することができる。
【０１３０】
上記のような電子カルテ管理システムにおいてサマリ画面を構成する際に、電子カルテ管理センター装置１０において電子カルテ情報を集中管理し、各患者の電子カルテ情報から患者の個人情報を分離させて治療計画、治療経過等の医療情報のみをサマリ画面の生成に利用させることで、個人情報の流出を防止しつつ、病院内外の複数患者の医療情報を取得して研究用データとして用いることができる。
【０１３１】
また、上記の実施形態においては、時間情報に基づいて生成された電子カルテ情報の統計処理や分析処理を行うための画面を生成する電子カルテ情報分析用画面生成装置について説明したが、これには限定されず、生涯健康カルテ（HER）情報やパーソナル健康カルテ（PHR）情報、さらには医療分野を超えた各分野の製造工程管理情報や顧客管理情報等、時間情報に基づいて生成された管理情報であれば、本発明のプロジェクト管理情報分析用画面生成装置を適用して統計処理や分析処理を行うための画面を生成することが可能である。
【０１３２】
また、本実施形態によるクライアント装置の制御部の機能構成をプログラム化してコンピュータに組み込むことにより、当該コンピュータをプロジェクト管理情報分析用画面生成装置として機能させるプロジェクト管理情報分析用画面生成プログラムを構築することも可能である。
【図面の簡単な説明】
【０１３３】
【図１】本発明の一実施形態による電子カルテ情報分析用画面生成装置としてのクライアント装置を利用した電子カルテ管理システムの構成を示すブロック図である。
【図２】本発明の一実施形態による電子カルテ情報分析用画面生成装置としてのクライアント装置で利用されるＣＯＡの構造を示す説明図である。
【図３】本発明の一実施形態による電子カルテ情報分析用画面生成装置としてのクライアント装置で表示される時間軸上におけるＣＯＡの情報の位置を示す説明図である。
【図４】本発明の一実施形態による電子カルテ情報分析用画面生成装置としてのクライアント装置の動作を示すフローチャートである。
【図５】本発明の一実施形態による電子カルテ情報分析用画面生成装置としてのクライアント装置で表示されたサマリ画面の一例を示す画面構成図である。
【図６】本発明の一実施形態による電子カルテ情報分析用画面生成装置としてのクライアント装置で表示されたサマリ画面上でタブウィンドウが表示されたときの状態を示す画面構成図である。
【図７】本発明の一実施形態による電子カルテ情報分析用画面生成装置としてのクライアント装置で表示されたサマリ画面上にタイトルＣＯＡが入力されるときの状態を示す画面構成図である。
【図８】本発明の一実施形態による電子カルテ情報分析用画面生成装置としてのクライアント装置で表示されたサマリ画面上にサブタイトルＣＯＡが入力されるときの状態を示す画面構成図である。
【図９】本発明の一実施形態による電子カルテ情報分析用画面生成装置としてのクライアント装置で表示されたサマリ画面上の複数のタイトルＣＯＡにサブタイトルＣＯＡが入力されるときの状態を示す画面構成図である。
【図１０】本発明の一実施形態による電子カルテ情報分析用画面生成装置としてのクライアント装置で表示されたサマリ画面上にタイトルＣＯＡが入力されるときの状態を示す画面構成図である。
【図１１】本発明の一実施形態による電子カルテ情報分析用画面生成装置としてのクライアント装置で表示されたサマリ画面上にサブタイトルＣＯＡが入力されるときの状態を示す画面構成図である。
【図１２】本発明の一実施形態による電子カルテ情報分析用画面生成装置としてのクライアント装置で表示されたサマリ画面上の複数のタイトルＣＯＡにサブタイトルＣＯＡが入力されるときの状態を示す画面構成図である。
【図１３】本発明の一実施形態による電子カルテ情報分析用画面生成装置としてのクライアント装置で表示されたサマリ画面上でサブタイトルＣＯＡおよびサブタイトルユニットラインのコピーまたは移動の制御設定を行う状態を示す画面構成図である。
【図１４】本発明の一実施形態による電子カルテ情報分析用画面生成装置としてのクライアント装置で表示されたサマリ画面上でサブタイトルＣＯＡおよびサブタイトルユニットラインのコピーを行うときの状態を示す画面構成図である。
【図１５】本発明の一実施形態による電子カルテ情報分析用画面生成装置としてのクライアント装置で表示されたサマリ画面上でサブタイトルＣＯＡおよびサブタイトルユニットラインの移動を行うときの状態を示す画面構成図である。
【図１６】本発明の一実施形態による電子カルテ情報分析用画面生成装置としてのクライアント装置で表示されたサマリ画面上でサブタイトルＣＯＡおよびサブタイトルユニットラインの削除を行うときの状態を示す画面構成図である。
【図１７】本発明の一実施形態による電子カルテ情報分析用画面生成装置としてのクライアント装置で表示されたサマリ画面上にタイムタブを付加ときの状態を示す画面構成図である。
【図１８】本発明の一実施形態による電子カルテ情報分析用画面生成装置としてのクライアント装置で表示された複数のサマリ画面上にタイムタブを付加ときの状態を示す画面構成図である。
【図１９】本発明の一実施形態による電子カルテ情報分析用画面生成装置としてのクライアント装置で表示されたサマリ画面上で、タイムタブが付加された状態を示す画面構成図である。
【図２０】本発明の一実施形態による電子カルテ情報分析用画面生成装置としてのクライアント装置で表示されたサマリ画面上で、付加されたタイムタブが操作されサマリ画面が更新された状態を示す画面構成図である。
【図２１】本発明の一実施形態による電子カルテ情報分析用画面生成装置としてのクライアント装置で表示されたサマリ画面上で、付加されたタイムタブが操作されサマリ画面が更新された状態を示す画面構成図である。
【図２２】本発明の一実施形態による電子カルテ情報分析用画面生成装置としてのクライアント装置で表示されたサマリ画面上で、付加されたタイムタブが操作されサマリ画面が更新された状態を示す画面構成図である。
【図２３】本発明の一実施形態による電子カルテ情報分析用画面生成装置としてのクライアント装置で表示されたサマリ画面上で、付加されたタイムタブが操作されサマリ画面が更新された状態を示す画面構成図である。
【図２４】本発明の一実施形態による電子カルテ情報分析用画面生成装置としてのクライアント装置で表示されたサマリ画面上で、付加された複数のタイムタブが操作されサマリ画面が更新された状態を示す画面構成図である。
【図２５】本発明の一実施形態による電子カルテ情報分析用画面生成装置としてのクライアント装置で表示され更新されたサマリ画面上で、タイムタブ一覧が表示された状態を示す画面構成図である。
【図２６】本発明の一実施形態による電子カルテ情報分析用画面生成装置としてのクライアント装置で表示され更新されたサマリ画面上で、所望の範囲の情報が選択された状態を示す画面構成図である。
【図２７】本発明の一実施形態による電子カルテ情報分析用画面生成装置としてのクライアント装置で表示され更新されたサマリ画面上で、所望の範囲の情報が選択された状態を示す画面構成図である。
【図２８】本発明の一実施形態による電子カルテ情報分析用画面生成装置としてのクライアント装置で表示され更新されたサマリ画面上で、所望の範囲の情報が選択された状態を示す画面構成図である。
【図２９】本発明の一実施形態による電子カルテ情報分析用画面生成装置としてのクライアント装置で表示され更新されたサマリ画面上で、所望の範囲の情報が選択された状態を示す画面構成図である。
【図３０】本発明の一実施形態による電子カルテ情報分析用画面生成装置としてのクライアント装置で表示され更新されたサマリ画面上で、所望の範囲の情報が選択され出力メニューが表示された状態を示す画面構成図である。
【符号の説明】
【０１３４】
１…電子カルテ管理システム
１０…電子カルテ管理センター装置
１１…ＣＯＡ情報記憶部
１２…電子カルテ情報記録部
１３…送受信部
２０…クライアント端末
２１…入力部
２２…制御部
２３…送受信部
２４…仮想記憶部
２５…表示部
３０…ネットワーク
４０…サマリ画面
４３…ＣＯＡ
５０…パレット
６０…患者一覧
７０…パレット
４１０…サマリタブ
４１１…タブウィンドウ
４１２…サブメニュー
４２０…タイムマシン
４３０…タイトルＣＯＡ
４４０…サブタイトルＣＯＡ
４４１…選択リスト
４４２…付加位置
４４３…×印位置
４４５…タイムタブ一覧
４４６…タイムタブ一覧
４４７〜４４９、４５１〜４５６…選択範囲
４５０…サブタイトルユニットライン
４５７…出力メニュー
４５８…統計出力メニュー
４６０…タイムマシン範囲選択ライン
４７０…タイトル範囲選択ライン
４８０…タイムタブライン
【図１】
0005014250.tif 000002
【図２】
0005014250.tif 000003
【図３】
0005014250.tif 000004
【図４】
0005014250.tif 000005
【図５】
0005014250.tif 000006
【図６】
0005014250.tif 000007
【図７】
0005014250.tif 000008
【図８】
0005014250.tif 000009
【図９】
0005014250.tif 000010
【図１０】
0005014250.tif 000011
【図１１】
0005014250.tif 000012
【図１２】
0005014250.tif 000013
【図１３】
0005014250.tif 000014
【図１４】
0005014250.tif 000015
【図１５】
0005014250.tif 000016
【図１６】
0005014250.tif 000017
【図１７】
0005014250.tif 000018
【図１８】
0005014250.tif 000019
【図１９】
0005014250.tif 000020
【図２０】
0005014250.tif 000021
【図２１】
0005014250.tif 000022
【図２２】
0005014250.tif 000023
【図２３】
0005014250.tif 000024
【図２４】
0005014250.tif 000025
【図２５】
0005014250.tif 000026
【図２６】
0005014250.tif 000027
【図２７】
0005014250.tif 000028
【図２８】
0005014250.tif 000029
【図２９】
0005014250.tif 000030
【図３０】
0005014250.tif 000031